(57)【要約】【課題】光カプラの分岐数の変更に応じて、ＯＬＴから送信される光信号の光レベルの減衰量を変更する。【解決手段】光分岐装置３を介して局側装置１に複数の加入者端末装置２が接続される光伝送システムにおいて、局側装置は、加入者端末装置と光信号を送受信する光送受信部８と、光送受信部から送信された光信号の光レベルを減衰させる可変減衰部９と、光分岐装置の分岐数に応じて、可変減衰部による光レベルの減衰量を設定する減衰量制御部１０とを備える【選択図】図１
2011066781.tif 000002
【特許請求の範囲】
【請求項１】
光分岐装置を介して局側装置に複数の加入者端末装置が接続される光伝送システムにおいて、
前記局側装置は、
前記加入者端末装置と光信号を送受信する光送受信部と、
前記光送受信部から送信された光信号の光レベルを減衰させる可変減衰部と、
前記光分岐装置の分岐数に応じて、前記可変減衰部による光レベルの減衰量を設定する減衰量制御部とを備える
ことを特徴とする光伝送システム。
【請求項２】
光分岐装置を介して局側装置に複数の加入者端末装置が接続される光伝送システムにおいて、
前記局側装置は、
前記加入者端末装置と光信号を送受信する光送受信部と、
光レベルの異なる減衰量を有する減衰器が接続され、前記光送受信部から送信された光信号の光レベルを減衰させる複数の経路と、
前記光分岐装置の分岐数に応じて、前記光レベルの減衰量を設定し、当該減衰量に対応する経路を選択する減衰量制御部と、
前記減衰量制御部により選択された経路に接続する光スイッチとを備える
ことを特徴とする光伝送システム。
【請求項３】
前記減衰量制御部は、前記局側装置に接続または登録された前記加入者端末装置の数に応じて、前記光レベルの減衰量を設定する
ことを特徴とする請求項１または請求項２記載の光伝送システム。
【請求項４】
前記減衰量制御部は、前記局側装置と前記加入者端末装置とを接続する光通信回線の長さに応じて、前記光レベルの減衰量を設定する
ことを特徴とする請求項１または請求項２記載の光伝送システム。
【請求項５】
光分岐装置を介して複数の加入者端末装置に接続される局側装置において、
前記加入者端末装置と光信号を送受信する光送受信部と、
前記光送受信部から送信された光信号の光レベルを減衰させる可変減衰部と、
前記光分岐装置の分岐数に応じて、前記可変減衰部による光レベルの減衰量を設定する減衰量制御部と
を備えることを特徴とする局側装置。
【請求項６】
光分岐装置を介して複数の加入者端末装置に接続される局側装置において、
前記加入者端末装置と光信号を送受信する光送受信部と、
光レベルの異なる減衰量を有する減衰器が接続され、前記光送受信部から送信された光信号の光レベルを減衰させる複数の経路と、
前記光分岐装置の分岐数に応じて、前記光レベルの減衰量を設定し、当該減衰量に対応する経路を選択する減衰量制御部と、
前記減衰量制御部により選択された経路に接続する光スイッチと
を備えることを特徴とする局側装置。
【請求項７】
前記減衰量制御部は、前記局側装置に接続または登録された前記加入者端末装置の数に応じて、前記光レベルの減衰量を設定する
ことを特徴とする請求項５または請求項６記載の局側装置。
【請求項８】
前記減衰量制御部は、前記局側装置と前記加入者端末装置とを接続する光通信回線の長さに応じて、前記光レベルの減衰量を設定する
ことを特徴とする請求項５または請求項６記載の局側装置。
【発明の詳細な説明】
【技術分野】
【０００１】
この発明は、光分岐装置を介して局側装置に複数の加入者端末装置が接続される光伝送システムにおいて、特に屋外に設置される光伝送システム及び局側装置に関するものである。
【背景技術】
【０００２】
従来の光伝送（ＰＯＮ：Passive Optical Fiber Network)システムでは、局側装置（ＯＬＴ：Optical Line Terminal）は光通信回線である光ファイバに接続され、この光ファイバは光カプラによって分岐されて各加入者端末（ＯＮＵ：Optical Network Unit）に接続されている（例えば、特許文献１参照）。
【０００３】
ここで、光カプラは波長依存性を持たず、ＯＬＴからの光信号を各ＯＮＵに均等に分配するため、光カプラの分岐数に応じて各ＯＮＵに送信される光信号の光レベルは減衰される。例えば、光カプラが２分岐の場合には各ＯＮＵに送信される光信号の光レベルは約３ｄＢｍ減衰され、４分岐の場合には約６ｄＢｍ減衰される。
【０００４】
一方、ＯＮＵはＯＬＴからの光信号を受信するための光受信器を具備し、この光受信器は最大受光感度を有している。そのため、例えば、コスト削減のために光カプラの分岐数を少なく構成した場合には、ＯＬＴから送信される光信号の光レベルの減衰量が少なくなるため、ＯＮＵにおいて最大受光感度を超える光レベルの光信号を受信する恐れがあり、信号エラーの発生、または光受信器の破壊等が生じる恐れがある。
そのため、ＯＮＵに送信される光信号の光レベルを減衰させるために、ＯＬＴに所定の減衰量を有する固定減衰器（ＡＴＴ：Attenuator）が接続されている。
【先行技術文献】
【特許文献】
【０００５】
【特許文献１】特開２００７−２７８１９号公報
【発明の概要】
【発明が解決しようとする課題】
【０００６】
ここで、特許文献１に開示される従来のＰＯＮシステムでは、システム構成の変更により光カプラの分岐数が変更される度に、ＯＬＴに接続されている固定減衰器を適切な減衰量を有する固定減衰器に交換する必要がある。しかしながら、例えば、ＯＬＴが屋外に設置される場合には、光カプラの分岐数が変更される度に、ＯＬＴが設置されている場所へ作業者が行き固定減衰器の交換を行う必要があり、ＯＬＴが電柱など高所に設置された場合には固定減衰器の交換が困難になるという課題がある。
【０００７】
この発明は、上記のような課題を解決するためになされたもので、光カプラの分岐数の変更に応じて、ＯＬＴから送信される光信号の光レベルの減衰量を容易に変更することができる光伝送システム及び局側装置を提供することを目的としている。
【課題を解決するための手段】
【０００８】
この発明に係る光伝送システムは、光分岐装置を介して局側装置に複数の加入者端末装置が接続される光伝送システムにおいて、局側装置は、加入者端末装置と光信号を送受信する光送受信部と、光送受信部から送信された光信号の光レベルを減衰させる可変減衰部と、光分岐装置の分岐数に応じて、可変減衰部による光レベルの減衰量を設定する減衰量制御部とを備えるものである。
【発明の効果】
【０００９】
この発明によれば、上記のように構成したので、光カプラの分岐数に応じて減衰量を設定することで、光レベルの減衰量を光カプラの分岐数に応じて容易に変更することができる。
【図面の簡単な説明】
【００１０】
【図１】この発明の実施の形態１に係るＰＯＮシステムの構成を示す図である。
【図２】この発明の実施の形態２に係るＰＯＮシステムの構成を示す図である。
【図３】この発明の実施の形態３に係るＰＯＮシステムの構成を示す図である。
【発明を実施するための形態】
【００１１】
以下、この発明の実施の形態について図面を参照しながら詳細に説明する。
実施の形態１．
図１はこの発明に係る実施の形態１に係るＰＯＮシステムの構成を示す図である。
図１に示すように、ＰＯＮシステム（光伝送システム）は、通信事業者側の装置であるＯＬＴ（局側装置）１と、各加入者側の終端装置であるＯＮＵ（加入者端末装置）２と、ＯＬＴ１と複数のＯＮＵ（♯１〜♯ｎ）２とを光カプラ（光分岐装置）３を介して接続する光ファイバ（光通信回線）４とにより構成される。
【００１２】
また、ＯＬＴ１は、光ファイバ４と接続するためのコネクタ５と、各ＯＮＵ２と光信号の送受信を行うためのインタフェース部６と、ＯＬＴ１の各部の動作を制御するための装置制御部７とから構成される。
【００１３】
インタフェース部６は、下り信号である光信号を各ＯＮＵ２に送信し、また、各ＯＮＵ２からの上り信号である光信号を受信する光送受信部８と、ＯＬＴ１から各ＯＮＵ２に送信される光信号の光レベルを減衰させるための可変減衰部９とを有している。なお、この可変減衰部９は、ファイバグレーティングなどを適用したＶＯＡ（Variable Optical Attenuator）により構成される。
【００１４】
また、装置制御部７は、光カプラ３の分岐数に応じて、可変減衰部９による光レベルの減衰量を設定するための減衰量制御部１０を有している。この減衰量制御部１０には不図示の記憶部が備えられ、光カプラ３の分岐数に応じて設定された減衰量が予め記憶されている。
【００１５】
次に、上記のように構成されるＰＯＮシステムの動作について説明する。
まず、ＯＬＴ１に複数のＯＮＵ（♯１〜♯ｎ）２が光カプラ３を介して接続されている状態において、ＰＯＮシステムの構成変更に伴って光カプラ３の分岐数が変更された場合に、作業者による遠隔操作に従い、ＯＬＴ１の装置制御部７は、この変更された光カプラ３の分岐数を示す信号を受信する。
【００１６】
次いで、装置制御部７は、減衰量制御部１０にこの光カプラ３の分岐数を示す信号を送信する。減衰量制御部１０は、この光カプラ３の分岐数に基づいて、光送受信部８から各ＯＮＵ２に送信される光信号の光レベルの減衰量を設定し、この減衰量に変更することを示す制御信号を可変減衰部９に送信する。
なお、この減衰量制御部１０により設定される減衰量は、予め不図示の記憶部に記憶されているものであり、例えば、光カプラ３が２分岐の場合には減衰量は１５ｄＢｍ、４分岐の場合には減衰量は１２ｄＢｍといったデータが設定されている。
【００１７】
次いで、可変減衰部９は、減衰量制御部１０から送信された制御信号に基づいて、光送受信部８から各ＯＮＵ２に送信される光信号の光レベルに対する減衰量の変更を行う。
以上の処理により、光カプラ３の分岐数に応じた減衰量で光レベルが減衰された光信号を各ＯＮＵ２に送信することができる。
【００１８】
以上のように、この発明の実施の形態１によれば、光カプラ３の分岐数に応じて、可変減衰部９の減衰量を変更するように構成したので、光レベルの減衰量を光カプラ３の分岐数に応じて容易に変更することができる。
【００１９】
なお、この発明の実施の形態１に係るＰＯＮシステムでは、光カプラ３の分岐数に応じてＯＮＵ２に送信される光信号の光レベルの減衰量を変更するように構成したが、これに加えて、ＯＬＴ１に設定されているＯＮＵ２の接続台数または登録台数に応じてＯＮＵ２に送信される光信号の光レベルの減衰量を変更するように構成してもよい。
【００２０】
また、この発明の実施の形態１に係るＰＯＮシステムでは、減衰量制御部１０に備えられる不図示の記憶部に光カプラ３の分岐数に応じた減衰量を記憶させるように構成したが、これに加えて、記憶部に、ＯＬＴ１とＯＮＵ２とを接続する光ファイバ４の長さに応じた減衰量を記憶させるように構成してもよい。
このように構成することで、ＰＯＮシステムの構成変更によって光ファイバ４の長さが変更された場合に、作業者による遠隔操作に従い、ＯＬＴ１の装置制御部７は変更された光ファイバ４の長さを示す信号を受信することで、この光ファイバ４の長さに応じた減衰量で光信号の光レベルを減衰させることができる。
【００２１】
また、この発明の実施の形態１に係るＯＬＴ１では、ＯＬＴ１と複数のＯＮＵ２間で双方向の光信号送受を行うために、往復遅延時間（ＲＴＴ：Round-Trip Time）を測定している。ＯＬＴ１は、この測定したＲＴＴを用いて、ＯＬＴ１から各ＯＮＵ２までの距離を算出することが可能であり、これにより、ＯＬＴ１と各ＯＮＵ２とを接続する光ファイバ４の長さを算出することができる。そのため、ＯＬＴ１の装置制御部７は光ファイバ４の長さを受信する代わりに、算出した光ファイバ４の長さに基づいて、可変減衰部９の減衰量の設定を自動的に行うように構成してもよい。
【００２２】
ここで、光ファイバ４による光レベルの減衰量は、通常０．２ｄＢｍ／ｋｍ〜０．３ｄＢｍ／ｋｍであるため、例えば、光ファイバ４の長さが２０ｋｍの場合での光レベルの減衰量は６ｄＢｍであるが、１ｋｍの場合での光レベルの減衰量は０．３ｄＢｍ程度であるため、光カプラ３の分岐数と同様に伝送路における光レベルの減衰量を決定する要素となる。ここで、複数のＯＮＵ２が接続されている場合には、減衰量制御部１０は最も短い光ファイバ４の長さに基づいて光レベルの減衰量を設定する。ただし、複数のＯＮＵ２の起動状態が同時でない可能性があるため、光レベルの減衰量の決定は全てのＯＮＵ２の起動後に行う。
【００２３】
また、この発明の実施の形態１における光送受信部８による光信号の出力特性が温度に依存する場合に、装置制御部７に温度検出回路を追加するように構成してもよい。この温度検出回路は光送受信部８が光信号を送信する際の周囲の温度による送信レベル変動を算出し、これに基づいて減衰量制御部１０は可変減衰部９の光レベルの減衰量を設定する。このように構成することで、光送受信部８周辺の温度変化に応じた減衰量の変更を容易に行うことができる。
【００２４】
実施の形態２．
実施の形態１では、光カプラ３の分岐数に応じて可変減衰部９の減衰量を変更するように構成したが、実施の形態２は、光カプラ３の分岐数に応じてＯＬＴ１から各ＯＮＵ２に送信される光信号の経路を切り替えることにより、光レベルの減衰量を変更するように構成したものである。
図２はこの発明に係る実施の形態２に係るＰＯＮシステムの構成を示す図である。
図２に示す実施の形態２に係るＰＯＮシステムの構成は、図１に示す実施の形態１に係るＰＯＮシステムの構成の可変減衰部９を削除し、光スイッチ１１ａ，１１ｂを追加したものである。その他の構成は、図１に示す実施の形態１に係るＰＯＮシステムの構成と同様であり、同一の符号を付し、その説明を省略する。
【００２５】
図２に示すように、光スイッチ１１ａ，１１ｂは、この光スイッチ１１ａ，１１ｂ間に２つの経路が設けられ、減衰量制御部１０により選択された経路に接続するものであり、コネクタ５と光送受信部８との間に配置される。この２つの光スイッチ１１ａ，１１ｂが有する２つの経路のうち、一方の経路には光信号の光レベルを減衰させるための所定の減衰量を有するＡＴＴ（固定減衰器）１２が接続され、他方の経路にはＡＴＴ１２が接続されず、光送受信部８から送信された光信号の光レベルを異なる減衰量で減衰させるように構成されている。
【００２６】
また、装置制御部７の減衰量制御部１０は、光カプラ３の分岐数に応じて、光レベルの減衰量を設定し、この減衰量に対応する経路を選択する。なお、この減衰量制御部１０には不図示の記憶部に、光カプラ３の分岐数に応じて設定された減衰量及びその減衰量に対応する経路が予め記憶されている。
【００２７】
次に、上記のように構成されるＰＯＮシステムの動作について説明する。
まず、ＯＬＴ１に複数のＯＮＵ（♯１〜♯ｎ）２が光カプラ３を介して接続されている状態において、ＰＯＮシステムの構成変更に伴って光カプラ３の分岐数が変更された場合に、作業者による遠隔操作に従い、ＯＬＴ１の装置制御部７は、この変更された光カプラ３の分岐数を示す信号を受信する。
【００２８】
次いで、装置制御部７は、減衰量制御部１０にこの光カプラ３の分岐数を示す信号を送信する。減衰量制御部１０は、この光カプラ３の分岐数に基づいて、光送受信部８から各ＯＮＵ２に送信される光信号の光レベルの減衰量を設定し、この減衰量に対応する経路を選択する。
ここで、光カプラ３の分岐数が多い場合には、光レベルを減衰させる必要が無いので、ＡＴＴ１２が接続されていない経路を選択し、光カプラ３の分岐数が少ない場合には、光レベルを減衰させるために、ＡＴＴ１２が接続されている経路を選択する。
この減衰量制御部１０により選択された経路を示す制御信号は光スイッチ１１ａ，１１ｂに送信される。
【００２９】
次いで、光スイッチ１１ａ，１１ｂは、減衰量制御部１０から送信された制御信号に基づいて、選択された経路に接続する。
以上の処理により、光カプラ３の分岐数に応じた減衰量で光レベルが減衰された光信号を各ＯＮＵ２に送信することができる。
【００３０】
以上のように、この発明の実施の形態２によれば、光カプラ３の分岐数に応じて、ＡＴＴ１２が接続された経路またはＡＴＴ１２が接続されていない経路を選択するように構成したので、光レベルの減衰量を光カプラ３の分岐数に応じて容易に変更することができる。
【００３１】
なお、この発明の実施の形態２に係るＰＯＮシステムにおいて、光スイッチ１１ａ，１１ｂは２つの経路を有する１×２の光スイッチである場合について説明したが、これに限るものではなく、複数の経路を有する１×Ｎの光スイッチを用いて構成してもよい。この場合、各経路には、光レベルの異なる減衰量を有するＡＴＴ１２が接続される。このように構成することにより、光レベルの減衰量の調整をより精度を高めて行うことが可能となる。
【００３２】
また、この発明の実施の形態２に係るＰＯＮシステムでは、光カプラ３の分岐数に応じてＯＮＵ２に送信される光信号の光レベルの減衰量を設定して、この減衰量に対応する経路を選択するように構成したが、これに加えて、ＯＬＴ１に設定されているＯＮＵ２の接続台数または登録台数に応じてＯＮＵ２に送信される光信号の光レベルの減衰量を設定して、この減衰量に対応する経路を選択するように構成してもよい。
【００３３】
また、この発明の実施の形態２に係るＰＯＮシステムでは、減衰量制御部１０に備えられる不図示の記憶部に光カプラ３の分岐数に応じた減衰量及びこの減衰量に対応する経路を記憶させるように構成したが、これに加えて、記録部に、ＯＬＴ１とＯＮＵ２とを接続する光ファイバ４の長さに応じた減衰量及びこの減衰量に対応する経路を記憶させるように構成してもよい。
このように構成することで、ＰＯＮシステムの構成変更によって光ファイバ４の長さが変更された場合に、作業者による遠隔操作に従い、ＯＬＴ１の装置制御部７は変更された光ファイバ４の長さを示す信号を受信することで、この光ファイバ４の長さに応じた減衰量に対応した経路を選択することができる。
【００３４】
また、この発明の実施の形態１に係るＰＯＮシステムにおいて、ＯＬＴ１の装置制御部７は光ファイバ４の長さを受信する代わりに、ＯＬＴ１で測定したＲＴＴを用いて算出した光ファイバ４の長さに基づいて、光レベルの減衰量を設定して、この減衰量に対応した経路の選択を自動的に行うように構成してもよい。
ここで、複数のＯＮＵ２が接続されている場合には、減衰量制御部１０は最も短い光ファイバ４の長さに基づいて光レベルの減衰量を設定し、この減衰量に対応した経路を選択する。ただし、複数のＯＮＵ２の起動状態が同時でない可能性があるため、経路の選択は全てのＯＮＵ２の起動後に行う。
【００３５】
また、この発明の実施の形態２における光送受信部８による光信号の出力特性が温度に依存する場合に、装置制御部７に温度検出回路を追加するように構成してもよい。この温度検出回路は光送受信部８が光信号を送信する際の周囲の温度による送信レベル変動を算出し、これに基づいて減衰量制御部１０は光レベルの減衰量を設定し、この減衰量に対応した経路を選択する。このように構成することで、光送受信部８の周辺の温度変化に応じた減衰量の変更を容易に行うことができる。
【００３６】
実施の形態３．
実施の形態１，２では、光カプラ３の分岐数に応じて、ＯＬＴ１から各ＯＮＵ２に送信される光信号の光レベルの減衰量を変更するように構成したが、実施の形態３は、光カプラ３の分岐数に応じて、適した減衰量を有するＡＴＴ１２に交換する際の作業性を改善するものである。
図３はこの発明に係る実施の形態３に係るＰＯＮシステムの構成を示す図である。
図３に示す実施の形態３に係るＰＯＮシステムの構成は、図１に示す実施の形態１に係るＰＯＮシステムの構成から可変減衰部９及び減衰量制御部１０を削除し、ＡＴＴ１２及び保持用機構１３を追加したものである。その他の構成は、図１に示す実施の形態１に係るＰＯＮシステムと同様であり、同一の符号を付し、その説明を省略する。
【００３７】
保持用機構１３は、コネクタ５に接続された所定の減衰量を有するＡＴＴ１２を、光カプラ３の分岐数の変更に応じて、適した減衰量を有するＡＴＴ１２に変更する作業を行う際に、コネクタ５から抜去した光ファイバ４を保持するためのものであり、例えば、コネクタにより構成される。
【００３８】
次に、上記のように構成されたＰＯＮシステムにおいて、光カプラ３の分岐数の変更に応じて、適したＡＴＴ１２への交換作業を行う場合の手順について説明する。
光カプラ３の分岐数の変更に応じて、適した減衰量を有するＡＴＴ１２への交換を行う場合に、まず、作業者は、光ファイバ４をＡＴＴ１２から抜去し、交換対象であるＡＴＴ１２をコネクタ５より抜去する。この際、抜去した光ファイバ４を保持用機構１３に挿入することにより保持させる。
次いで、所望の減衰量を有するＡＴＴ１２をコネクタ５に挿入する。その後、保持用機構１３に保持された光ファイバ４を抜去し、交換されたＡＴＴ１２に挿入し交換作業を完了する。
【００３９】
以上のように、ＡＴＴ１２を交換する際に、抜去した光ファイバ４を保持用機構１３に保持させておくことで、その後のＡＴＴ１２の交換作業を容易に行うことができる。特に、屋外に設置されたＯＬＴ１において、ＡＴＴ１２の交換を行う場合には、高所や強風が発生する場所での交換作業となる可能性があり、作業者は、ＡＴＴ１２を交換する際に抜去した光ファイバ４を保持用機構１３に保持させることで、両手でＡＴＴ１２の交換作業を行うことが可能となる。また、抜去した光ファイバ４の端面への汚れの付着や光ファイバ４の損傷を防止することができる。
【００４０】
以上のように、この発明の実施の形態３によれば、ＡＴＴ１２を交換する際に、抜去した光ファイバ４を保持用機構１３に保持させるように構成したので、その後のＡＴＴ１２の交換作業を容易に行うことができる。また、抜去した光ファイバ４の端面への汚れの付着や光ファイバ４の損傷を防止することができる。
【符号の説明】
【００４１】
１  ＯＬＴ（局側装置）、２  ＯＮＵ（加入者端末装置）、３  光カプラ（光分岐装置）、４  光ファイバ（光通信回線）、５  コネクタ、６  インタフェース部、７  装置制御部、８  光送受信部、９  可変減衰部、１０  減衰量制御部、１１ａ、１１ｂ  光スイッチ、１２  ＡＴＴ（固定減衰器）、１３  保持用機構。
【図１】
2011066781.tif 000003
【図２】
2011066781.tif 000004
【図３】
2011066781.tif 000005